(57)【特許請求の範囲】
【請求項１】
生育条件としての栄養，光，水及び温度を管理した状態における人工照明下での水耕栽培による葉菜類野菜の生産方法であって、生育させた野菜を、その収穫直前に養液を水に置き換え且つ日長時間を２０時間以上とし該日長時間における光強度の上限を２００００ｌｕｘとして，２日以上５日以内の期間水耕栽培するものである調整栽培に付すことを特徴とする、生産方法。
【請求項２】
該野菜が、レタス、水菜、ホウレンソウ、春菊、小松菜、チンゲンサイ、キャベツ、白菜、しそ、からし菜、ケール、及びハーブ類よりなる群から選ばれるものである、請求項１の生産方法。
【請求項３】
該日長時間における光強度が少なくとも９，０００ｌｕｘである、請求項１又は２の何れかの生産方法。
【請求項４】
該調整栽培において野菜の硝酸イオン含有量が低下するものである、請求項１ないし３の何れかの生産方法。
【請求項５】
該調整栽培において野菜の糖度、全糖、アスコルビン酸、アントシアニン、ポリフェノール、葉緑素、及び／又はグルコシノレート含有量が増加するものである、上記１ないし４の何れかの生産方法。
【発明の詳細な説明】
【技術分野】
【０００１】
本発明は、人工照明下での水耕栽培による野菜の生産方法に関し、より詳しくは抗酸化成分、栄養成分、食味成分等の有用成分の含有量を高め、硝酸イオン含有量を低減させ、色素アントシアニンを産生する野菜について同色素の含有量を高め、着色を向上させることのできる、水耕栽培による野菜の生産方法に関する。
【背景技術】
【０００２】
土を使用せずに、ミネラルやその他のイオンを含有した養液を用いて植物を栽培する方法である水耕栽培は、農地を必要とせず、設備さえあれば立地や自然環境を問わず、適切な条件下に栄養、光、水、温度等の生育条件を完全に管理した状態で植物を栽培することが可能である、という利点を有し、また、それにより植物の生育を早め、収穫効率を高めることができ、収穫の時期調整も容易であるため、野菜等の農産物の生産に広く使用されている。【０００３】
しかしながら、人工照明下における水耕栽培で得られる野菜は、生育が早い反面、アスコルビン酸（ビタミンＣ）等の抗酸化物質や各種の栄養成分含有量が低くなり易いという問題がある。これに対し、ヒトにおいてアスコルビン酸は、インフルエンザやその他の感染症などの罹患時等ストレスが加わったとき身体による要求量が増大することが知られており、健康志向の高まりとともに、野菜においてビタミンＣの含有量の高いものが好まれる傾向がある。このため、アスコルビン酸含有量の高い野菜を水耕栽培で効率的に且つ低コストで生産できる方法が望まれている。【０００４】
また、野菜中には通常、硝酸イオンが含まれる。硝酸イオンは、多量に含まれると野菜の苦味の原因となるほか、発癌物質の生成にもつながる可能性があることから、その含有量を低下させた野菜の生産が望ましい。既にＥＵ（欧州連合）では、野菜の硝酸塩の基準値が定められており、それによれば現在、例えば、結球レタスで施設栽培のものや、それ以外のレタス（サラダ菜、サニーレタス、コスレタス等）で４〜９月に収穫される露地栽培のものは、硝酸塩の基準値を２，５００ｍｇＮＯ３−／ｋｇ以下とすべきことが求められている。【０００５】
従来、水耕栽培において野菜のアスコルビン酸等の抗酸化成分を含む栄養成分の含有量を高めるための検討が行われている。例えば、特開２００４−３０５０４０号公報及び特開２００８−８６２７２号公報（それぞれ、特許文献１及び２）には、ビタミンＣやトコフェロール等の機能性成分含有量を増大するために、３１５ｎｍ付近にピークを有する人工紫外線の照射を行うことが開示されている。しかしながら、このような方法は、通常の照明以外に別途、特定の紫外線ランプを含む追加の設備を必要とするためコストが嵩み、追加のエネルギーコストがかかり、また最適な光量の調節と維持・管理が煩雑であるという、欠点がある。【０００６】
これに対し、硝酸態窒素（硝酸イオンの形で存在する窒素をいう。）が含まれる水耕肥料溶液（第１溶液）により野菜を水耕栽培してある程度生育させた後、当該水耕肥料溶液における硝酸態窒素を１０ｍｇ／Ｌ以下且つキレート鉄を１０ｍｇ／Ｌ以上とした別の水耕肥料溶液（第２溶液）を用いて、野菜の硝酸塩含有量が実質的にゼロとなる５日間にわたって水耕栽培した後、更に第２溶液で培養を続ける、という水耕栽培方法が特開平６−１０５６２５号公報（特許文献３）に開示されている。同文献には、第２溶液での５日間の水耕栽培で野菜中の硝酸塩含有量がほぼゼロとなった後の更なる培養中に、糖質及びビタミンＣの含量が、それぞれ急増することが示されている。しかしながらこの方法では、野菜中の糖質やビタミンＣの増加のためには、その前段階として５日間にわたる硝酸塩不含の水耕肥料溶液で栽培する必要があり、これに野菜中の糖質やビタミンＣの含量増加のための同溶液中での栽培日数である１〜２日が加わるため、硝酸塩不含の水耕栽培溶液での栽培が１週間程度にわたって行われることとなり、出荷直前の野菜にかなり長期の生長阻害期間が加わることとなり、好ましくない。【０００７】
他方、赤色レタス等のある種の野菜では、露地栽培では得られるアントシアニンによる着色が、人工照明下での水耕栽培にすると得られなくなるという現象があり、これは、人工照明下での水耕栽培を野菜の生産に広く利用する上での障害の一つとなっていた。これに対し、特開２００３−２０４７１８号公報（特許文献４）には、水耕栽培においてサニーレタスに、昼間（６〜１８時）は白色光を、夜間（１８時〜翌６時）は波長４００〜５００ｎｍの青色光を６時間以上照射しつつ、３日以上栽培を行うことで、アントシアニン含有量の増加が可能であることが記載されている。しかしながらこの場合も青色光用の光源を白色光源とは別に設置する必要があり、野菜の生産コストを上昇させる要因となる。【０００８】
なお、水耕栽培によるものではないが、特開２００５−２４５２４３号公報（特許文献５）に、野菜の脱窒素加工方法として、自然栽培において収穫前の無施肥状態の少なくとも３日間の夜間及び／又は収穫後１週間以内の期間に野菜に発熱電球からの３００〜６００ルクスの光を照射することにより、ニンジン及びホウレンソウ中の硝酸態窒素量を低下させること、及び収穫後に行う場合には、水に根部を浸漬して行うと鮮度低下を効果的に抑制できることが記載されている。
【先行技術文献】
【特許文献】
【０００９】
【特許文献１】特開２００４−３０５０４０号公報
【特許文献２】特開２００８−８６２７２号公報
【特許文献３】特開平６−１０５６２５号公報
【特許文献４】特開２００３−２０４７１８号公報
【特許文献５】特開２００５−２４５２４３号公報
【発明の概要】
【発明が解決しようとする課題】
【００１０】
上記背景において本発明は、人工照明下での水耕栽培において、紫外線ランプや青色光源のような別途の特殊な光源の設置を必要とせず、アスコルビン酸含有量や糖度や全糖含有量等の有用成分の含有量を高め、硝酸イオン含有量を低減させることができ、且つアントシアニンを産生するタイプの野菜においてはその産生を促進して赤色や紫色の着色を明瞭にさせることを可能にする野菜の生産方法の提供を目的とする。
【課題を解決するための手段】
【００１１】
上記目的のために検討の結果、本発明者は、野菜の水耕栽培の最終段階において、収穫直前の１〜数日にわたって、長い日長時間（１日における明期の時間長をいう。）にし且つ水耕肥料溶液（養液）を水に置き換えることによって、硝酸イオン含有量の急速な低減と、糖度、全糖、アスコルビン酸（ビタミンＣ）、ポリフェノール、葉緑素、及び／又はグルコシノレート含有量の急速な上昇とを起こすことができ、更には、露地栽培ではアントシアニンを産生して着色するが通常の人工照明下での水耕栽培ではそうでなかった野菜について、アントシアニンの産生を促して野菜にアントシアニンによる明瞭な赤色や紫色の着色をさせることも可能となることを見出した。本発明はこれらの知見に基づき、更に検討を重ねて完成させたものである。すなわち、本発明は以下を提供する。【００１２】
１．人工照明下での水耕栽培による野菜の生産方法であって、生育させた野菜を、その収穫直前に養液を水に置き換え且つ日長時間を１７時間以上として１日以上水耕栽培するものである調整栽培に付すことを特徴とする、生産方法。
２．上記１の生産方法であって、該調整栽培の期間が２日以上である、生産方法。
３．上記１又は２の生産方法であって、日長時間が２０時間以上である、生産方法。
４．該調整栽培の期間が７日以内である、上記１ないし３の何れかの生産方法。
５．該日長時間における光強度が少なくとも９，０００ｌｕｘである、上記１ないし４の何れかの生産方法。
６．該調整栽培において野菜の硝酸イオン含有量が低下するものである、上記１ないし５の何れかの生産方法。
７．該調整栽培において野菜の糖度、全糖、アスコルビン酸、アントシアニン、ポリフェノール、葉緑素、及び／又はグルコシノレート含有量が増加するものである、上記１ないし６の何れかの生産方法。
８．上記１ないし７の何れかの生産方法により生産された野菜。
【発明の効果】
【００１３】
本発明によれば、紫外線ランプ等の追加の照明設備の必要がなくコストのかからない方法で、且つアスコルビン酸、糖又はグルコシノレート等の栄養成分や食味成分等の含有量、全糖含有量、ポリフェノール、及び／又は葉緑素の含有量を速やかに高めつつ、硝酸イオン含有量を低減させた水耕栽培野菜を生産することができる。また、葉菜においては、葉厚や葉色の濃さという点も改善することができる。更には、露地栽培でアントシアニンを産生する野菜の場合、青色光源等の追加の光源を設置する必要なしにアントシアニン含有量を増加させて、明瞭に赤色や紫色に着色した野菜を生産することが可能となる。
【図面の簡単な説明】
【００１４】
【図１】図１は、実施例１−１における植物体の硝酸イオン含有量の推移を示すグラフである。
【図２】図２は、実施例１−１における植物体のアスコルビン酸含有量の推移を示すグラフである。
【図３】図３は、実施例１−１における植物体の糖度の推移を示すグラフである。
【図４】図４は、実施例１−１における植物体の葉厚の推移を示すグラフである。
【図５】図５は、実施例１−２における植物体のポリフェノール含有量の推移を示すグラフである。
【図６】図６は、実施例１−３における植物体の葉緑素含有量の推移を示すグラフである。
【図７】図７は、実施例２における水耕液中の硝酸態窒素濃度と植物体の硝酸イオン含有量との関係を示すグラフである。
【図８】図８は、実施例３における１日の水耕栽培後の植物体の硝酸イオン含有量を示すグラフである。
【図９】図９は、実施例３における１日の水耕栽培後の植物体のアスコルビン酸含有量を示すグラフである。
【図１０】図１０は、実施例３における１日の水耕栽培後の植物体の糖度を示すグラフである。
【図１１】図１１は、実施例４−１における各条件下での４日間栽培後の植物体のアントシアニン含有量及び色相値を示すグラフである（図中、「ＦＷ」は、Fresh Weightの略）。
【図１２】図１２は、実施例４−１における各条件下での４日間栽培後の植物体の全糖含有量を示すグラフである。
【図１３】図１３は、実施例４−２における各条件下での１日栽培後の植物体のアントシアニン含有量及び色相値を示すグラフである。
【図１４】図１４は、実施例４−２における各条件下での３日間栽培後の植物体のアントシアニン含有量及び色相値を示すグラフである。
【図１５】図１５は、実施例５における各条件下での植物体の硝酸イオン含有量を示すグラフである。
【図１６】図１６は、実施例６における各条件での植物体の硝酸イオン含有量の推移を示すグラフである。
【図１７】図１７は、実施例６における各条件での植物体の糖度の推移を示すグラフである。
【図１８】図１８は、実施例７における各条件での植物体のグルコシノレート含有量の変化を示すグラフである。
【図１９】図１９は、実施例７における各条件での植物体の硝酸イオン含有量の変化を示すグラフである。
【発明を実施するための形態】
【００１５】
本明細書において、「水耕栽培野菜」とは、水耕栽培によって生育させることにより得られた野菜をいう。
【００１６】
本明細書において、「野菜」は、「葉菜類」及び「根菜類」及び「果菜類」を包含する。ここに、「葉菜類」とは、葉や茎の部分を主に食用とする野菜をいい、例えば、レタス、水菜、ホウレンソウ、春菊、小松菜、チンゲンサイ、キャベツ、白菜、しそ、からし菜、ケール、ハーブ類（ルッコラ、バジル等）等が挙げられるが、これらに限定されない。また、「根菜類」とは、根や地下茎等、土耕栽培したとき地中にある部分を主に食用とする野菜をいい、例えば、大根、ニンジン、カブ、ゴボウ、ジャガイモ、サツマイモ、サトイモ、レンコン等が挙げられるが、これらに限定されない。また、「果菜類」とは、果実や種子を食用とする野菜をいい、イチゴ、トマト、キュウリ、なす等が挙げられるが、これらに限定されない。なお、葉菜類で主に食する葉や茎は、光合成や硝酸還元を行う植物のソース部位に分類され、一方、根菜類及び果菜類において食用とする肥大根、肥大茎及び果実は、ソース部位からの養分を貯蔵して生長するシンク部位に分類される。
【００１７】
本発明において、野菜の収穫直前に養液を水に置き換え且つ日長時間を所定の長さに設定（１７時間以上等）して行う水耕栽培（以下、「調整栽培」という。）を開始するに至るまでの水耕栽培（以下、「生育栽培」という。）は、当該野菜を十分に生育させればよいだけであるから、公知の種々の水耕栽培条件（温度、養液、日長時間）及び生育日数を、適宜選択して用いればよく、特に限定されない。例えば、生育栽培における日長時間（１日における明期）は、１２時間、１４時間、１５時間、１６時間等とすることができ、特に限定されない。
【００１８】
調整栽培は、出荷直前の１〜数日間行えばよい。例えば日長時間を１７時間として１日水耕栽培するだけでも、植物体の硝酸イオン含有量の低減、アスコルビン酸含有量の増加及び糖度の増加という効果が得られる。日長時間は、１７時間以上の適宜の時間、例えば１８時間、・・・２４時間（すなわち暗期なし）等と設定することができ、前記の効果は、日長時間の長さに応じて増大する。また、調整栽培の日数は、１日でもよいが、より多くの日数にわたって行うこともできる。例えば、調整栽培を２〜５日間行った場合、植物体の硝酸イオン含有量の低減、アスコルビン酸含有量の増加及び糖度の増加の効果は、栽培日数に応じて更に高まる。またその間、効果の増加率につき、調整栽培日数の増加によっても衰えは認められておらず、そのことは調整栽培を約１週間にわたって行ってもよいことを示している。
【００１９】
また、露地栽培した場合にアントシアニンを産生して着色する野菜では、調整栽培によりアントシアニン含有量を増加させ、着色を向上させることが可能である。アントシアニン含有量の増加及びそれによる着色の強さの増加も、調整栽培の日数が増えるほど、また日長時間が長いほど、顕著となる。外観の顕著な着色を求める場合には、例えば日長時間が１７時間の場合、調整栽培を２日以上行うことが好ましく、３日以上行うことがより好ましい。また日長時間が２０時間以上の場合には、調整栽培は１日行うだけでも十分であるが、それより長く行えば更に効果的である。
【００２０】
また、調整栽培における光強度は、９，０００ｌｕｘ以上であることが好ましく、９，５００ｌｕｘ以上であることがより好ましく、１０，０００ｌｕｘ以上であることが更に好ましい。また、光強度は、強すぎることによる悪影響を植物体に及ぼすほどでない限り、光強度に明確な上限はなく、例えば２０，０００ｌｕｘ又は１９，０００ｌｕｘ、１８，０００ｌｕｘ等と、所望により設定すればよい。 
【００２１】
なお調整栽培において水耕液として用いる水は、硝酸態窒素濃度が１５ｐｐｍ以下であることが好ましく、１０ｐｐｍ以下であることがより好ましく、８ｐｐｍ以下であることが特に好ましい。水としては、例えば水道水を用いるのが便利である。また、水道水に含まれる程度の量のミネラルの存在は何ら支障はない。それら微量の硝酸態窒素やミネラルを含有する水も、調整栽培において養液の代わりに使用するに適した「水」に包含される。
【実施例】
【００２２】
以下、典型的な実施例を参照して本発明を更に詳細に説明するが、本発明がそれら実施例についての記載により限定されることは意図しない。【００２３】
収穫時の野菜の特性に及ぼす日長時間及び水耕液の効果を検討した。以下の各実施例において、特に示さない限り、次の条件は共通とした。
（１）光源：  白色蛍光灯
（２）肥料：  大塚ハウスＳＡ処方（表１）。【００２４】
◎
【表１】
0005991705.tif 000002
【００２５】
（３）明期／暗期：  １４時間／１０時間
（４）ＣＯ２施肥：  １，５００ｐｐｍ【００２６】
〔生育栽培〕  播種〜育苗
実験材料種子をウレタン培地に播種し、照射強度５，０００〜５，５００ｌｕｘ、室温１８〜２０℃とし、ＥＣ（電気伝導度）＝１．０ｍＳ／ｃｍに調整した養液で６回／日灌水しつつ、５日間水耕栽培を行って植物体を生育させた。次いで根が完全に浸る状態に植物体を定植し、照射強度１３，０００〜１８，０００ｌｕｘ、室温２０℃とし、ＥＣ＝１．８ｍＳ／ｃｍに調整した養液で、調整栽培の時期まで根が完全に養液に浸る状態とした湛水式水耕栽培を行った。【００２７】
〔実施例１−１〕  レタスにおける水耕液及び日長時間変更による影響の検討−１
生育栽培の後、水耕液及び日長時間を変えて湛水式水耕栽培を行い、それらの条件変化が、収穫される野菜の硝酸イオン含有量及びアスコルビン酸含有量、糖度、葉厚にどのような影響を及ぼすかについて検討した。
（栽培方法）
レタスとして、リーフレタスを用いた。播種後３０日間水耕栽培（生育栽培）により育苗した植物体を無作為に６群に分け、表２に示したように、うち５群の植物体につき、水耕液を養液から水（水道水：硝酸態窒素濃度１．２９ｐｐｍ以下）に変更し且つ日長時間を１２時間、１５時間、１８時間、２１時間及び２４時間の何れかに設定して、湛水式水耕栽培を５日間継続した（調整栽培）。残りの１群を対照群とし、日長時間は１２時間、水耕液は養液のまま（硝酸態窒素濃度約１７０ｐｐｍ、ＥＣ＝１．８ｍＳ／ｃｍ）として湛水式水耕栽培を５日間継続した。なお何れの群についても、光強度は１０，０００〜１５，０００ｌｕｘとした。【００２８】
◎
【表２】
0005991705.tif 000003
【００２９】
（評価項目及び評価方法）
１．硝酸イオン含有量の測定：
調整栽培を１日、３日、又は５日行った直後の植物体サンプルを採取し、これに一定量の水を加えて希釈しながらミキサーを用いてサンプルを破砕した後、破砕液を１２，０００ｒｐｍで１分間遠心分離した。こうして得られた上澄み液を用い、ＲＱフレックス（藤原製作所製）で硝酸イオン濃度を測定し、植物体１００ｇ当たりの硝酸イオン含有量（ｍｇ）を算出した。【００３０】
２．アスコルビン酸含有量の測定：
調整栽培を１日、３日、又は５日行った直後の植物体サンプルを採取し、これに一定量の５％メタリン酸を加えて希釈しながらミキサーを用いてサンプルを破砕した後、破砕液を１２，０００ｒｐｍで１分間遠心分離した。こうして得られた上澄み液を用い、ＲＱフレックス（藤原製作所製）でアスコルビン酸濃度を測定し、植物体１００ｇ当たりのアスコルビン酸含有量（ｍｇ）を算出した。【００３１】
３．糖度（Brix（％））の測定：
調整栽培を１日、３日、又は５日行った直後の植物体サンプルを採取し、これに水１００ｍｌを加えてミキサーで破砕し、破砕液を１２，０００ｒｐｍで１分間遠心分離した。上澄み液につきポケット糖度計（ＰＡＬ−１：アタゴ製）を用いて糖度を測定した。【００３２】
４．葉厚の測定：
調整栽培を１日、３日、又は５日行った直後の植物体サンプルにつき、葉先から約５〜１０ｍｍの箇所における葉の厚みをクイックミニ（ミツトヨ製）を用いて測定した。【００３３】
（結果）
１．硝酸イオン含有量：
各群の植物体の硝酸イオン含有量の推移を図１に示す。図において、「Ｈ」は養液、「Ｗ」は水による水耕栽培であることをそれぞれ示し、それら記号の前に付された数値は日長時間（単位：時間）を示す（以下の実施例において同じ。）。【００３４】
図１に見られるように、養液による日長時間１２時間での水耕栽培を行った対照群（１２Ｈ）では、栽培日数１日、３日又は５日後の植物体の硝酸イオン含有量が栽培日数と共に増加したのに対し、水耕液を養液から水に置き換えたＡ〜Ｅ群の各々において、植物体の硝酸イオン含有量は急速に低下し、日長時間が長い群におけるほど、また栽培日数が増えるほど、硝酸イオン含有量の低下の程度は一層顕著になった。具体的には、栽培１日後の時点において、日長時間１２時間の１２Ｗ群では、同じ日長時間の１２Ｈ（対照群）より硝酸イオン含有量は僅かに低下しただけであったが、日長時間１５時間の１５Ｗ群では対照群に比して約５０ｍｇ／１００ｇという明瞭な低下が認められ、更に日長時間１８時間の１８Ｗ群では、対照群に比して約９０ｍｇ／１００ｇという大きな低下が、そして日長時間２１時間の２１Ｗ群及び２４時間の２４Ｗ群においては、約１３０〜１３５ｍｇ／１００ｇという更に顕著な低下が認められた。また栽培３日後の時点においては、水耕液を水に変更した何れの群においても、硝酸イオン含有量は対照群の１／２未満〜１／３未満の範囲へと低下しており、日長時間が長い群ほど低下の程度は顕著であった。栽培５日後の時点では、それらの群における硝酸イオン含有量は更に低下しており、対照群との差は一層拡大していた。【００３５】
２．アスコルビン酸含有量：
図２は、各群の植物体のアスコルビン酸含有量（ｍｇ／１００ｇ）の推移を示す。図２に見られるように、対照群（１２Ｈ）では、栽培日数１日、３日、５日とアスコルビン酸含有量には特段の変化が見られなかったのに対し、水耕液を養液から水に置き換えた各群において、植物体のアスコルビン酸含有量は栽培日数に対応して急速に増加し、その増加の程度は日長時間が長い群におけるほど著しかった。具体的には、栽培１日後の時点において、日長時間が２４時間の２４Ｗ群では植物体のアスコルビン酸含有量は対照群の約１．７倍と顕著に増加しており、日長時間１８時間の１８Ｗ群においても約１．２倍と増加していた。また、栽培３日後の時点においては、日長時間１５〜２４時間の各群においてアスコルビン酸含有量が対照群の約１．２〜２．１倍と増加しており、増加の程度は日長時間が長い群におけるほど顕著であった。栽培５日後においては更に、対照群以外の何れの群についても植物体のアスコルビン酸含有量が増加しており、特に日長時間１５〜２４時間の群の植物体は、日長時間の長さと相関する形で、対照群の約１．７〜３倍のアスコルビン酸含有量を示した。【００３６】
３．糖度（Brix（％））：
結果を図３に示す。５日間の栽培期間中に対照群の植物体の糖度には殆ど変化が見られなかったのに対し、栽培１日後の時点において、糖度は、日長時間を１８時間とした１８Ｗ群の植物体では対照群の約１．１倍、日長時間を２１時間及び２４時間とした２１Ｗ群及び２４Ｗ群においては、対照群の約１．２倍となった。また栽培３日後の時点においては、日長時間を１５時間、１８時間、２１時間及び２４時間とした１５Ｗ群、１８Ｗ群、２１Ｗ群及び２４Ｗ群の植物体で、糖度が対照群のそれぞれ約１．１倍、約１．３倍、約１．４倍及び約１．５倍と、増加が一層顕著となった。対照群以外の群の植物体の糖度は、栽培５日後の時点において更に増加し、特に、日長時間１５時間の１５Ｗ群、１８時間の１８Ｗ群、２１時間の２１Ｗ群及び２４時間の２４Ｗ群で、それぞれ対照群の約１．４倍、約１．６倍、約１．８倍及び約２倍となった。【００３７】
４．葉厚
結果を図４に示す。葉厚についても、日長時間１８時間の１８Ｗ群から２４時間の２４Ｗ群まで、日長時間の長さに対応して対照群より厚くなるのが認められ、またそれは栽培日数を１日、３日及び５日と経るにつれて、一層顕著となった。一般に蛍光灯のような人工照明下での栽培では得られる植物体が軟弱であるという弱点があるが、この結果はその点について改善できることを示している。また、これらの群の植物体は、対照群の植物体に比して外観の緑色が濃く、水耕液中の硝酸態窒素を欠如させても色が薄くなる等の外観への悪影響が防止できることが確認された。【００３８】
〔実施例１−２〕  レタスにおける水耕液及び日長時間変更による影響の検討−２
実施例１−１と同一の手順及び条件でリーフレタスを栽培（生育栽培及び調整栽培）し、以下の方法により植物体中のポリフェノール含有量を測定した。
植物体を液体窒素中で凍結させ破砕したサンプル１ｇに対し８０％エタノールを１０ｍｌ加えて、冷暗所で２時間静置し、３０００ｒｐｍで５分間遠心分離して得られた上澄みをポリフェノール抽出液とした。抽出液のポリフェノール含有量を、フォーリンチオカルト法により測定した。すなわち抽出液１ｍｌに１／２希釈したフェノール試薬（ＭＰバイオケミカル社製）１ｍｌを加えて混合し、更に１０％炭酸ナトリウム水溶液を１ｍｌ加えて攪拌し室温で６０分間静置した。その後、分光光度計（ＵＶ−１６０；島津製作所）にて吸光度７００ｎｍの吸光度を測定した。リファレンス試料としてケルセチンを用いて、試料中のポリフェノール含有量をケルセチン当量（ｍｇケルセチン／１００ｇ）として算出した。結果を図５に示す。【００３９】
日長時間１８時間の１８Ｗ群では、１日の調整栽培により、ポリフェノールの含有量は、対照群（１２Ｈ群）と比較して４３．５％増加し、また日長時間２１時間の２１Ｗ群及び２４時間の２４Ｗ群では、ポリフェノール含有量は更に増加する傾向が見られた。３日間の調整栽培では、１８Ｗ群、２１Ｗ群及び２４Ｗ群は、ポリフェノール含有量の更に顕著な増加を示し、日長時間１５時間の１５Ｗ群、及び養液を水に換えただけの１２Ｗ群においてさえも、増加したのに対し、対照群（１２Ｈ群）では、逆に減少する傾向が見られた。５日間の調整栽培では、ポリフェノール含有量は、対照群では引き続き低下が認められたのに対し、１８Ｗ群、２１Ｗ群及び２４Ｗ群の何れにおいても更に直線的に増加を続けており、１５Ｗ群においても大幅に増加しているのが認められた。【００４０】
〔実施例１−３〕
葉緑素は、皮膚疾患や火傷等において回復促進作用を示すことが知られている。また葉緑素含有量が多いすなわち緑色の濃い野菜が好まれる傾向があり、葉緑素含有量が多いことは野菜の商品価値の向上につながる。更に、葉緑素含有量とβ−カロテンの含有量とが高い相関を示すことが知られており、葉緑素含有量の増加はβ−カロテン含有量の増加を伴う可能性が高い。β−カロテンは、人体に摂取されるとビタミンＡと同様の作用を示し、癌の増殖阻害や免疫機能の強化に有用な成分であることが知られている。そこで本発明の方法が野菜の葉緑素含有量に与える効果について検討した。
実施例１−１と同一の手順及び条件でリーフレタスを栽培（生育栽培及び調整栽培）し、葉緑素計SPAD502（コニカミノルタ製）を用いて、上記光処理を行ったレタスの葉中の葉緑素含有量を測定した。【００４１】
結果を図６に示す。日長時間１８時間の１８Ｗ群では、僅か１日の調整栽培により、葉緑素含有量は、対照群（１２Ｈ群）と比較して１５．２％増加し、日長時間２１時間の２１Ｗ群及び２４時間の２４Ｗ群では、更に増加した。また、３日間及び５日間の調整栽培により、葉緑素含有量は、日長時間１５時間の１５Ｗ群でも増加したが、１８Ｗ群、２１Ｗ群及び２４Ｗ群における葉緑素量の増加はこれより遥かに顕著であった。【００４２】
〔実施例２〕  レタスにおける水耕液中の硝酸態窒素濃度の検討
調整栽培における水耕液中の硝酸態窒素濃度と植物体の硝酸イオン含有量との関係を検討した。
（栽培方法）
レタスとして、リーフレタスを用いた。播種後３０日間水耕栽培（生育栽培）により育苗した植物体を無作為に５群に分け、うち４群については水耕液の濃度を硝酸態窒素濃度３８〜１７０ｐｐｍ（ＥＣ＝０．４〜１．８ｍＳ／ｃｍ）とし、残り１群については水耕液を水道水（硝酸態窒素濃度１．２９ｐｐｍ以下）に置き換えて、それぞれ日長時間を１８時間、光強度を１０，０００〜１５，０００ｌｕｘとして湛水式水耕栽培を４日間継続した後、植物体を収穫して、実施例１に記載した方法で硝酸イオン含有量を測定した。【００４３】
（結果）
結果を図７に示す。水耕液中の硝酸態窒素濃度１７０ｐｐｍで栽培した場合の植物体の硝酸イオン含有量（約３９０ｍｇ／１００ｇ）に比して、３８ｐｐｍまで濃度を下げた栽培での植物体の硝酸イオン含有量はもとの約８５％（約３３０ｍｇ／１００ｇ）までしか低下しなかった。これに対し、水耕液を水道水に置き換えた場合には、もとの約３３％（約１３０ｍｇ／１００ｇ）まで低減した。これらの結果からみて、本発明の目的のためには、調整栽培の段階における水耕液の硝酸態窒素濃度は約１５ｐｐｍ以下とするのが好ましい。【００４４】
〔実施例３〕  野菜類における水耕液および日長時間の変更の効果の検討
水菜、小松菜、春菊について、水耕液および日長時間の変更の効果を以下のようにして検討した。
（栽培方法）
水菜、小松菜、春菊を、それぞれ各野菜についての最適期間である２１日間、２８日間及び３２日間生育栽培した後、野菜毎に無作為に４群に分割し、うち３群について水耕液を水道水に変更すると共に日長時間を１２時間、１８時間及び２１時間にそれぞれ設定して湛水式水耕栽培を１日継続した。残り１群（対照群）については条件を日長時間は１２時間、水耕液は養液のまま（硝酸態窒素濃度約１７０ｐｐｍ、ＥＣ＝１．８ｍＳ／ｃｍ）として湛水式水耕栽培を１日継続した。次いで植物体を収穫し、各群の植物体につき、硝酸イオン含有量及びアスコルビン酸含有量並びに糖度を、実施例１と同様にして測定した。【００４５】
（結果）
結果を図８〜１０に示す。
１．硝酸イオン含有量
図８に各群の植物体の硝酸イオン含有量を示す。図に見られるとおり、水耕液を水に変更すると共に日長時間を１８時間以上とすることにより、僅か１日の調整栽培で、硝酸イオン含有量の低減が認められた。水菜及び小松菜では、水耕液の水への変更及び日長時間を１２時間とした群でも硝酸イオン含有量の僅か（１０％未満）の低減が認められたものの、水耕液の変更及び日長時間を１８時間以上とした群では、硝酸イオン含有量の低減は、はるかに顕著であった。また何れの野菜についても、水耕液を水に変更し日長時間を２１時間としたとき、硝酸イオン含有量の一層の低減が認められた。【００４６】
２．アスコルビン酸含有量
図９に各群の植物体のアスコルビン酸含有量を示す。図にみられるように、水耕液を水道水に変更し日長時間１２時間とした群（１２Ｗ）では、１日の栽培では何れの植物体においてもアスコルビン酸含有量の増加は認められなかった。しかしながら、水耕液の変更と併せて日長時間を１８時間とした群（１８Ｗ）では、僅か１日の栽培でもアスコルビン酸含有量は顕著に増加した。対照群との比較における増加率は、水菜約３３％、小松菜約２８％、春菊約１６％であった。また日長時間を２１時間とした群（２１Ｗ）ではアスコルビン酸含有量の増加は一層顕著となり、対照群との比較における増加率は、水菜約６６％、小松菜約３９％、春菊約３８％であった。【００４７】
３．糖度
図１０に各群の植物体の糖度を示す。図にみられるように、水耕液を水道水に変更し日長時間１２時間とした群（１２Ｗ）では、１日の水耕栽培では糖度の増加は僅かであったが、日長時間を１８時間とした群（１８Ｗ）では、何れの植物体も、対照群との比較において糖度が１５％以上向上していた。また日長時間を２１時間とした群（２１Ｗ）では、何れの植物体も、対照群との比較において糖度が２０％以上向上していた。【００４８】
〔実施例４−１〕  赤色レタスにおける水耕液および日長時間変更の効果の検討−１
赤色レタスとしてリーフレタスを用いて、水耕液および日長時間変更の効果を検討した。
（栽培方法）
上記リーフレタスを３４日間生育栽培した後、無作為に４群に分割した。うち２群（１４Ｗ、２４Ｗ）については水耕液を水道水に変更すると共に日長時間をそれぞれ１４時間及び２４時間に設定し、残り２群（１４Ｈ、２４Ｈ）については水耕液を硝酸態窒素濃度約１７０ｐｐｍ、ＥＣ＝１．８ｍＳ／ｃｍの養液とし日長時間を１４時間及び２４時間にそれぞれ設定して、何れも４日間栽培した。次いで各群の植物体を収穫して以下の項目につき分析・評価した。【００４９】
（評価項目及び評価方法）
１．アントシアニン含有量測定
植物体を液体窒素中で凍結させ破砕したサンプル１ｇに対し、１％塩酸−メタノールを１０ｍｌ加えて冷蔵庫に一晩静置し、アントシアニンを抽出した。その後３，０００ｒｐｍで１０分間遠心分離を行い、分光光度計（ＵＶ−１６０：島津製作所製）にて５３０ｎｍ及び６５７ｎｍにおける吸光度を測定し、以下の計算式：
アントシアニン量  Ａ’５３０＝Ａ５３０−Ａ６５７×０．２５
により、クロロフィルによる吸光の影響を除いた値をアントシアニン含有量とした（参考文献Plant Physiol. (1991) 96、1079-1085) 。【００５０】
２．色相値解析
色相値は色味の違いを示す値であり、外観の赤色の発色を評価することができる。植物体の真上７０ｃｍからデジタルカメラ（μ725SW：OLYMPUS製）にて６４０×４８０ピクセルの画像を、照明条件を一定にして撮影した。撮影した画像を三原色のカラープレーンに分解し、レタス領域の画素の色情報から、当該画像全体の平均としての色相値を算出した。【００５１】
３．全糖含有量測定
植物体を液体窒素中で凍結させ破砕したサンプル１ｇに蒸留水１０ｍｌを加え、９５℃で１時間加熱して抽出した。適当な濃度となるよう希釈した分析試料に等量の５％フェノール溶液を加えた後、２．５倍量の濃硫酸を加えてすぐに攪拌した。２０分室温で放置し、分光光度計（ＵＶ−１６０：島津製作所製）にて４９０ｎｍにおける吸光度を測定した。標準溶液（グルコース水溶液）の検量線から、全糖含有量を算出した。【００５２】
（結果）
結果を図１１及び１２に示す。
１．アントシアニン含有量及び色相値
結果を図１１に示す。水耕液を水道水に変更すると共に日長時間を２４時間とした群（２４Ｗ）では、アントシアニン含有量は対照群（１４Ｈ）に比して３．６倍と著しく増加しており、また外観の色の指標である色相値は、赤色を示す方向へ約４０°変位しており、また肉眼的にも赤色レタスとしての色を呈していた。これに対し、対照群に比して、水耕液を水道水に変更しただけの群（１４Ｗ）も、日長時間を２４時間に延長しただけの群（２４Ｈ）の何れも、植物体のアントシアニン量の増加は限定的であり、前者では約１．２倍、後者では約１．８倍に止まり、色相値において赤方への変位は僅か５°程度に過ぎず、肉眼的にも着色は僅かしか見られなかった。このことは、アントシアニン含有量の十分な増加と十分な赤色の着色のためには、水耕液の水への変更と日長時間の延長とを併せて行うことが極めて効果的であることを示している。【００５３】
２．全糖含有量
結果を図１２に示す。植物体の全糖含有量は、対照群（１４Ｈ）に比して、水耕液を水道水に変更し且つ日長時間を２４時間とした群（２４Ｗ）において、約２．５倍と著しく増加していた。これに対し、対照群に比して、水耕液を水道水に変更しただけの群（１４Ｗ）及び日長時間を２４時間に延長しただけの群（２４Ｈ）では、植物体の全糖含有量は対照群の１．５〜１．６倍に止まった。このことは、さまざまな有用成分の元となる全糖含有量の十分な増加のためには、水耕液の水への変更と日長時間の延長とを併せて行うことが極めて効果的であることを示している。【００５４】
〔実施例４−２〕  赤色レタスにおける水耕液および日長時間変更の効果−２
実施例４−１と同様にしてリーフレタスを３２日間生育栽培した後、無作為に７分割し、うち５群については、水耕液を水道水に変更し且つ日長時間を１２時間（１２Ｗ）、１５時間（１５Ｗ）、１８時間（１８Ｗ）、２１時間（２１Ｗ）及び２４時間（２４Ｗ）にそれぞれ設定した。残り２群については、水耕液を硝酸態窒素濃度約１７０ｐｐｍ、ＥＣ＝１．８ｍＳ／ｃｍの養液とし日長時間を１２時間及び２４時間にそれぞれ設定（１２Ｈ、２４Ｈ）した。各群の植物体を１〜３日栽培し、栽培１日後及び３日後の時点での各群の植物体のアントシアニン含有量及び色相値を、実施例４−１の方法に従って求めた。【００５５】
（結果）
結果を図１３及び１４に示す。
図１３に栽培１日後における結果を、図１４に栽培３日後における結果を、それぞれ示す。対照群（１２Ｈ）との比較において、水耕液を水道水に変更し日長時間を１８時間とした群（１８Ｗ）では、１日の栽培後に植物体のアントシアニン含有量が約２６％増加し色相値も赤方に変位していた。また水耕液を水道水に変更し日長時間を２１時間とした群（２１Ｗ）では、１日の栽培後に植物体のアントシアニン含有量及び色相値の双方共に大幅に向上し、肉眼的にも葉に赤色の発色が認められた。また３日間の栽培後には、前者（１８Ｗ）でアントシアニン含有量の２．５倍以上への増加及び色相値の１５°以上の赤方への変位が、後者（２１Ｗ）でアントシアニン含有量の３．５倍以上への増加及び色相値の３０°以上の赤方への変位が、それぞれ認められ、何れも赤色がより強くなった。これに対し、水耕液として養液を用い日長時間を２４時間に設定した群（２４Ｈ）では、１日の栽培後にアントシアニン含有量及び色相値に向上が見られたものの、３日間の栽培後にはアントシアニン含有量及び色相値共に、対照群（１２Ｈ）と同程度にまで後退した。【００５６】
〔実施例５〕  赤色レタスの調整栽培における光強度と硝酸イオン含有量の低減効果との関係の検討
赤色レタスを用いて、水耕液を水に変更して水耕栽培した場合における日長時間２４時間での光強度と植物体の硝酸イオン含有量の低減効果との関係を検討した。
（方法）
実施例４−１と同様にして生育栽培した赤色レタスを無作為に３群にわけ、何れの群についても水耕液を水に変更すると共に、光強度１０，０００〜１５，０００ｌｕｘで日長時間１２時間（Ｐ群）、光強度５，０００〜７，５００ｌｕｘで日長時間２４時間（Ｑ群）、及び光強度１０，０００〜１５，０００ｌｕｘで日長時間２４時間（Ｒ群）にそれぞれ設定して４日間栽培した後、各群の植物体の硝酸イオン含有量を測定した。【００５７】
（結果）
結果を図１５に示す。植物体の硝酸イオン含有量は、光強度を１０，０００〜１５，０００ｌｕｘとし日長時間を１２時間としたＰ群の１４２ｍｇ／１００ｇ（日長時間１２時間）に比べ、光強度を５，０００〜７，５００ｌｕｘ、日長時間２４時間としたＱ群では１３３ｍｇ／１００ｇと僅か７％程度の低下しか示さなかったが、光強度を１０，０００〜１５，０００ｌｕｘとし日長時間を２４時間としたＲ群では９３ｍｇ／１００ｇと約３５％の顕著な低下を示した。また、肉眼的にもＱ群では葉に赤色の発色の向上は認められなかったが、Ｒ群では顕著な赤色の発色が認められた。このことは、光強度５，０００〜７，５００ｌｕｘでは実質的に効果がないことを示している。【００５８】
〔実施例６〕  カブにおける水耕液及び日長時間変更の効果の検討
植物の養分貯蔵器官（シンク部位）においても本発明の方法による効果が得られるか否かを確認するため、カブを用いて、その養分貯蔵器官である肥大根の硝酸イオン含有量及び糖度が水耕液及び日長時間の変更によりどのように変化するかを調べた。すなわち、カブの種子を播種し２８日間育成栽培した後、一部はそのまま養液を用いた日長時間１２時間の対照群（１２Ｈ群）とし、他は水耕液を水道水に変更し日長時間を１２時間、１８時間及び２１時間に変えた群（それぞれ、１２Ｗ群、１８Ｗ群及び２１Ｗ群）として、湛水式水耕栽培を１日又は５日間継続した。なお、光強度は、１０，０００〜１５，０００ｌｕｘとした。次いで植物体を葉部および茎部（地上部）と根の肥大部（地下肥大部）とに分けて収穫し、それぞれの硝酸イオン含有量及び地下肥大部の糖度を測定した。【００５９】
（結果）
１．硝酸イオン含有量：
結果を図１６に示す。硝酸イオン含有量は、他の葉菜類と同様に水耕液を水に変更し日長時間を１８時間、２１時間とした群（それぞれ１８Ｗ群、２１Ｗ群）では、１日の栽培で、地上部、地下肥大部ともに対照群に比して１８％を超える低減が見られた。また５日間の栽培では、硝酸イオンの低減は更に顕著となった。【００６０】
２．糖度（Brix（％））：
結果を図１７に示す。１８Ｗ群、２１Ｗ群では、僅か１日の栽培で対照群より糖度が５．４％以上増加し、５日間の栽培では更に大幅に増加した。これに対して日長時間は対照群と同じ１２時間とし水耕液を水に変更したのみの群（１２Ｗ群）では、糖度の増加は認められなかった。【００６１】
〔実施例７〕  グルコシノレート含有量に対する水耕液及び日長時間の効果の検討
ケール等のアブラナ科植物を中心に含有されるカラシ油配糖体であるグルコシノレートは、ワサビやダイコンの辛味成分であるイソチオシアネートの前駆物質である。本成分は解毒機能を強化し、また抗癌作用を有することが知られている。またケールに含まれるグルコシノレートの殆どはシニグリンであることが分かっているが、人体に対しては、消化促進作用や利尿作用がある。また本成分の増加は、その独特の食味を増すことにもつながる。そこで、本発明の方法がケールのグルコシノレート含有量に与える効果について検討した。
実施例１−１と同一の手順及び条件でケールを最適期間である３０日間生育栽培した後、無作為に６群に分け、うち５群については水耕液を水道水に変更すると共に日長時間を１２時間、１５時間、１８時間、２１時間及び２４時間にそれぞれ設定して湛水式水耕栽培を１日継続した（それぞれ、１２Ｗ群、１５Ｗ群、１８Ｗ群、２１Ｗ群、２４Ｗ群）。対照として残り１群（１２Ｈ群）については日長時間を１２時間、水耕液は養液のまま（硝酸態窒素濃度約１７０ｐｐｍ、ＥＣ＝１．８  ｍＳ／ｃｍ）として、湛水式水耕栽培を１日継続した。次いで植物体を収穫し、各群の植物体につき次の方法でグルコシノレート含有量を測定した。【００６２】
植物体を液体窒素中で凍結させこれを粉砕したサンプル０．５ｇに、(1)７０％熱メタノール２．５ｍｌを加え７５℃で１０分間加熱し、３０００ｒｐｍで２分間遠心して上澄みを採取する操作を行った。この(1)の操作を３回行い、抽出液を得た。抽出液のグルコシノレート含有量をパラジウム比色法により測定した。すなわち、抽出液０．５ｍｌに２ｍＭ塩化パラジウムを３ｍｌ加え、３０分間静置した後、分光光度計（ＵＶ−１６０；島津製作所）にて吸光度４２５ｎｍを測定した。リファレンス試料としてシニグリンを用い、試料中のグルコシノレート含有量をシニグリン当量（μｍｏｌ／ｇ）として算出した。また別途、水耕液を水道水に変更し日長時間を１２時間及び２４時間とした群（それぞれ、１２Ｈ群及び２４Ｈ群）及び日長時間を１２時間、水耕液は養液のままとした対照群（１２Ｈ群）について湛水式水耕栽培を３日間行った後、植物体を収穫し、各群の植物体につき実施例１−１と同様の方法で硝酸イオン含有量を測定した。【００６３】
グルコシノレートについての結果を図１８に示す。水耕液を水に変更し日長時間を１８時間、２１時間及び２４時間とした群（それぞれ、１８Ｗ群、２１Ｗ群及び２４Ｗ群）では、僅か１日の処理で、グルコシノレート含有量は１８％以上増加した。また硝酸イオン含有量を図１９に示す。水耕液のみ変更した１２Ｗ群では３日間の処理によって４０％の低減をさせたのに対し、日長時間を合わせて変更した群（２４Ｗ群）では５７％の低減をさせることができていた。この差は実施例１−１のレタスでの試験と同様の傾向であることから、本植物種の調整栽培でも実施例１−１と同様の結果を示すと予測される。
【産業上の利用可能性】
【００６４】
本発明は、コストのかからない方法でアスコルビン酸、糖、グルコシノレート、ポリフェノール、葉緑素等の有用成分（栄養成分，食味成分その他）の含有量を速やかに高め、且つ硝酸イオン含有量を低減させた水耕栽培野菜を生産するために利用することができる。更には、葉厚や葉色の濃さを改善した葉菜の生産にも、また青色光源等の追加の光源を設置する必要なしにアントシアニン含有量を増加させて明瞭に着色させた野菜を生産するためにも利用することができる。
【図１】
0005991705.tif 000004
【図２】
0005991705.tif 000005
【図３】
0005991705.tif 000006
【図４】
0005991705.tif 000007
【図５】
0005991705.tif 000008
【図６】
0005991705.tif 000009
【図７】
0005991705.tif 000010
【図８】
0005991705.tif 000011
【図９】
0005991705.tif 000012
【図１０】
0005991705.tif 000013
【図１１】
0005991705.tif 000014
【図１２】
0005991705.tif 000015
【図１３】
0005991705.tif 000016
【図１４】
0005991705.tif 000017
【図１５】
0005991705.tif 000018
【図１６】
0005991705.tif 000019
【図１７】
0005991705.tif 000020
【図１８】
0005991705.tif 000021
【図１９】
0005991705.tif 000022